(57)【要約】【課題】地震直後に震源地の方向を感知して安全に避難できる方向を的確に指示する避難方向指示具を提供すること。【解決手段】一端が中実球状体（慣性体）１Ａに連結されると共に他端が建物の天井２２に取り付けられる線状体２１を介して垂設した慣性体１Ａが地震動により揺動した際に、慣性体１Ａが揺動する方向を地震波の進行方向として指示し、かつ、慣性体１Ａが揺動する方向と交差する方向を避難方向として指示する避難方向指示具を構成した。この避難方向指示具は、地震発生後に慣性体１Ａが地震動により揺動した際に、慣性体１Ａが揺動する方向と交差する方向が避難方向であることを指示するので、被災者は、慣性体１Ａが揺動する方向を見て、慣性体１Ａが揺動する方向と交差する方向が安全な避難方向であることを容易に判断することができる。【選択図】図１
0003114156.tif 000002
【実用新案登録請求の範囲】
【請求項１】
慣性体と、一端が前記慣性体に連結されると共に他端が建物の所定部位に取り付けられる線状体と、からなり、前記建物の所定部位に垂設した前記慣性体が地震動により揺動した際に、前記慣性体が揺動する方向を地震波の進行方向として指示し、かつ、前記慣性体が揺動する方向と交差する方向を避難方向として指示することを特徴とする避難方向指示具。
【請求項２】
前記慣性体は透明な中実球状体であり、該中実球状体内に表示体を埋設したことを特徴とする請求項１に記載の避難方向指示具。
【請求項３】
前記慣性体は透明な中実球状体であり、該中実球状体内に複数の光輝性反射片を埋設したことを特徴とする請求項１に記載の避難方向指示具。
【請求項４】
前記慣性体は内部に空間が形成された透明な中空球状体であり、前記空間内に透明媒体と複数の光輝性反射片を内在させたことを特徴とする請求項１に記載の避難方向指示具。
【請求項５】
前記慣性体は内部に空間が形成された透明な中空球状体であり、前記空間内に、発光体、傾斜スイッチ及び電池を備えた発光器、または、ブザー、傾斜スイッチ及び電池を備えた可聴音発生器を不動に収容したことを特徴とする請求項１に記載の避難方向指示具。
【請求項６】
前記慣性体は籠状球状体であり、該籠状球状体内に鈴を転動自在に収容したことを特徴とする請求項１に記載の避難方向指示具。
【請求項７】
前記慣性体は籠状球状体であり、該籠状球状体内に、発光体、傾斜スイッチ及び電池を備えた発光器を転動自在に収容したことを特徴とする請求項１に記載の避難方向指示具。
【請求項８】
前記慣性体は籠状球状体であり、該籠状球状体内に、発光体、傾斜スイッチ及び電池を備えた発光器を固定して収容したことを特徴とする請求項１に記載の避難方向指示具。
【請求項９】
前記慣性体は籠状球状体であり、該籠状球状体内に、ブザー、傾斜スイッチ及び電池を備えた可聴音発生器を転動自在に収容したことを特徴とする請求項１に記載の避難方向指示具。
【請求項１０】
前記慣性体は籠状球状体であり、該籠状球状体内に、ブザー、傾斜スイッチ及び電池を備えた可聴音発生器を固定して収容したことを特徴とする請求項１に記載の避難方向指示具。
【請求項１１】
前記籠状球状体は、蝶番部材を介して開閉自在に構成された二つの半球状体から構成されることを特徴とする請求項６〜１０のいずれかに記載の避難方向指示具。
【請求項１２】
前記中実球状体、前記中空球状体または前記籠状球状体の外表面に、鈴またはベルを取り付けたことを特徴とする請求項２〜１１のいずれかに記載の避難方向指示具。
【考案の詳細な説明】
【技術分野】
【０００１】
本考案は、地震が発生した直後に地震波が進行する方向を感知して、被災者が避難する方向を指示する避難方向指示具に関するものであり、特に、被災者が建物内に居て地震に遭遇した際に、健常者だけでなく、視覚障害者や聴覚障害者であっても、安全に避難することができる避難方向を的確に指示する避難方向指示具に関するものである。
【背景技術】
【０００２】
従来から、予期しない地震が発生した際に、その振動を感知して、被災者が安全に避難できるように警報を発したり、或は、被災者が避難する方向を指示する種々の装置が開発されている。
【０００３】
そして、地震が発生した際に、その振動を感知して警報装置を作動させる装置として、特許文献１には、円筒形体或は半円形体の本体の内底と内周壁に１極以上のマイナス極を設け、本体上部の中心部に本体と絶縁されたプラス極を設け、該プラス極に上端を接続した電導性スプリングの先端に電導性の錘りを取り付けて本体内に垂下し、プラス極を、警報装置を有する他の電気回路と接続した簡易型振動検出装置が開示されている。
【０００４】
また、地震が発生した際に、被災者が避難する方向を指示する装置として、特許文献２には、地震発生時の避難方向を明記する誘導板と、この誘導板を照明する点滅灯または照明灯と、この点滅灯または照明灯とバッテリーとを地震発生時に電気的に接続する地震感知器とよりなる地震避難方向指示装置が開示されている。
【０００５】
さらに、地震が発生した際に、地震の規模や震源方向を知ることができる装置として、特許文献３には、逆円錐形状の頂点底部に球状ボールを水平に保ち、地震の振動の度合いによって球状ボールが逆円錐形状の傾斜面を乗り越えて外郭に転動することにより、地震を感知して警報するようにし、また、その外郭を複数の区画に仕切り、球状ボールが転動した区画の位置によって地震波の方向を感知するようにした簡易型地震感知装置が開示されている。
【特許文献１】実開昭５８−４２６３１号公報
【特許文献２】実開昭５４−１７０７９０号公報
【特許文献３】特開平１０−６２２３４号公報
【考案の開示】
【考案が解決しようとする課題】
【０００６】
特許文献１の簡易型振動検出装置は、地震を感知すると、プラス極に接続された錘りが振動してマイナス極の底部に接触した時に電気回路が閉路となり、警報音響を発生することができるが、この簡易型振動検出装置では、地震が発生したことを感知できるだけであり、地震が発生した方向、すなわち、震源地の方向を感知することはできない。
【０００７】
また、特許文献２の地震避難方向指示装置は、地震の震度が所定値以上に達すると、避難方向の路上側部に沿って一定間隔毎に設置された各支柱の上部に設けた誘導板に、避難場所と避難場所までの距離及び進行方向を示すことができるが、この地震避難方向指示装置では、地震が発生したことを感知して、避難場所の方向及び距離を指示できるだけであり、特許文献１の簡易型振動検出装置と同様に、地震が発生した方向、すなわち、震源地の方向を感知することはできない。
【０００８】
さらに、特許文献３の簡易型地震感知装置は、地震が発生した際に、球状ボールが逆円錐形状の傾斜面を乗り越えて外郭に転動することにより、警報を発すると共に、球状ボールが転動した区画の位置によって地震波の方向を感知できるが、この簡易型地震感知装置では、地震発生後、球状ボールは転動した区画の位置に停止してしまうので、球状ボールの位置を確認できない場合には地震波の方向を判別することはできない。特に、地震が発生した際に、周囲の物が散乱したり、散乱した物が簡易型地震感知装置を覆ったり、或は動かしてしまった場合には、地震波の方向を正確に把握することはできなってしまう。
【０００９】
本考案は、上述したような従来の事情に鑑みてなされたものであり、地震直後に震源地の方向を正確に感知して、健常者だけでなく、視覚障害者や聴覚障害者のような被災者に対しても、安全に避難できる方向を的確に指示することができる避難方向指示具を提供することを目的とする。
【課題を解決するための手段】
【００１０】
上記課題を達成するために、請求項１に記載の避難方向指示具に係る考案は、慣性体（１Ａ、１Ｂ、１Ｃ）と、一端が慣性体（１Ａ、１Ｂ、１Ｃ）に連結されると共に他端が建物の所定部位（２２）に取り付けられる線状体（２１）と、からなり、建物の所定部位（２２）に垂設した慣性体（１Ａ、１Ｂ、１Ｃ）が地震動により揺動した際に、慣性体（１Ａ、１Ｂ、１Ｃ）が揺動する方向を地震波の進行方向として指示し、かつ、慣性体（１Ａ、１Ｂ、１Ｃ）が揺動する方向と交差する方向を避難方向として指示することを特徴とする。
【００１１】
また、上記課題を達成するために、請求項２に記載の避難方向指示具に係る考案は、請求項１に記載の考案において、慣性体は透明な中実球状体（１Ａ）であり、該中実球状体（１Ａ）内に表示体（５）を埋設したことを特徴とする。
【００１２】
さらに、上記課題を達成するために、請求項３に記載の避難方向指示具に係る考案は、請求項１に記載の考案において、慣性体は透明な中実球状体（１Ａ）であり、該中実球状体（１Ａ）内に複数の光輝性反射片（６）を埋設したことを特徴とする。
【００１３】
さらに、上記課題を達成するために、請求項４に記載の避難方向指示具に係る考案は、請求項１に記載の考案において、慣性体は、内部に空間が形成された透明な中空球状体（１Ｂ）であり、空間内に透明媒体（７）と複数の光輝性反射片（６）を内在させたことを特徴とする。
【００１４】
さらに、上記課題を達成するために、請求項５に記載の避難方向指示具に係る考案は、請求項１に記載の考案において、慣性体は内部に空間が形成された透明な中空球状体（１Ｂ）であり、空間内に、発光体（１４）、傾斜スイッチ（１５）及び電池（１６）を備えた発光器（１１）、または、ブザー（１７）、傾斜スイッチ（１５）及び電池（１６）を備えた可聴音発生器（１２）を不動に収容したことを特徴とする。
【００１５】
さらに、上記課題を達成するために、請求項６に記載の避難方向指示具に係る考案は、請求項１に記載の考案において、慣性体は籠状球状体（１Ｃ）であり、該籠状球状体（１Ｃ）内に鈴（１０）を転動自在に収容したことを特徴とする。
【００１６】
さらに、上記課題を達成するために、請求項７に記載の避難方向指示具に係る考案は、請求項１に記載の考案において、慣性体は籠状球状体（１Ｃ）であり、該籠状球状体（１Ｃ）内に、発光体（１４）、傾斜スイッチ（１５）及び電池（１６）を備えた発光器（１１）を転動自在に収容したことを特徴とする。
【００１７】
さらに、上記課題を達成するために、請求項８に記載の避難方向指示具に係る考案は、請求項１に記載の考案において、慣性体は籠状球状体（１Ｃ）であり、該籠状球状体（１Ｃ）内に、発光体（１４）、傾斜スイッチ（１５）及び電池（１６）を備えた発光器（１１）を固定して収容したことを特徴とする。
【００１８】
さらに、上記課題を達成するために、請求項９に記載の避難方向指示具に係る考案は、請求項１に記載の考案において、慣性体は籠状球状体（１Ｃ）であり、該籠状球状体（１Ｃ）内に、ブザー（１７）、傾斜スイッチ（１５）及び電池（１６）を備えた可聴音発生器（１２）を転動自在に収容したことを特徴とする。
【００１９】
さらに、上記課題を達成するために、請求項１０に記載の避難方向指示具に係る考案は、請求項１に記載の考案において、慣性体は籠状球状体（１Ｃ）であり、該籠状球状体（１Ｃ）内に、ブザー（１７）、傾斜スイッチ（１５）及び電池（１６）を備えた可聴音発生器（１２）を固定して収容したことを特徴とする。
【００２０】
さらに、上記課題を達成するために、請求項１１に記載の避難方向指示具に係る考案は、請求項６〜１０のいずれかに記載の考案において、籠状球状体（１Ｃ）は、蝶番部材（８）を介して開閉自在に構成された二つの半球状体（２、２）から構成されることを特徴とする。
【００２１】
さらに、上記課題を達成するために、請求項１２に記載の避難方向指示具に係る考案は、請求項２〜１１のいずれかに記載の考案において、中実球状体（１Ａ）、中空球状体（１Ｂ）または籠状球状体（１Ｃ）の外表面に、鈴（１０）またはベルを取り付けたことを特徴とする。
【００２２】
本考案に係る避難方向指示具は、基本的には以上の事項を特徴とするものであるが、中実球状体内に埋設される表示体は、公告を表示する公告表示体、或は、避難方向指示具の取扱説明を表示した取扱説明表示体とすることができる。
また、籠状球状体から慣性体を構成する場合には、籠状球状体の内面に凹凸部を形成してもよい。このように構成することにより、籠状球状体が地震動により揺動した際に、籠状球状体の内部に収容した鈴、発光器または可聴音発生器が籠状球状体の内面に沿って移動しようとすると、籠状球状体の内面に形成した凹凸部に接触して、鈴、発光器または可聴音発生器の動きが制限されるため、鈴、発光器または可聴音発生器は不規則に転動して、鈴、発光器または可聴音発生器を確実に作動させることができる。
さらに、発光器にブザーを設けたり、或は、可聴音発生器に発光体を設けることにより、光を発生すると共にブザー音を発生させて、被災者に対する指示効果をさらに向上させることができる。
また、慣性体を構成する中実球状体、中空球状体または籠状球状体の外表面に取り付ける鈴またはベルの数は１個でもよいが、複数個の方が報知効果をさらに向上させることができる。
【考案の効果】
【００２３】
請求項１に記載の避難方向指示具に係る考案によれば、一端に慣性体を連結した線状体を建物の所定部位に垂設しておいて、地震発生後に慣性体が地震動により揺動すると、慣性体の揺動する方向が地震波の進行方向であることを指示すると共に、慣性体が揺動する方向と交差する方向が避難方向であることを指示するので、被災者に対して、慣性体が揺動する方向と交差する方向が安全な避難方向であることを明確に指示することができる避難方向指示具を提供することができる。
【００２４】
特に、請求項１に記載の避難方向指示具は、地震発生後に慣性体が地震動により揺動した際に、慣性体が揺動する方向と交差する方向が安全な避難方向であることを指示するので、被災者は、慣性体が揺動する方向を見て、慣性体が揺動する方向と交差する方向が安全な避難方向であることを容易に判断することができる。
この場合、被災者は、室内では家具などが倒れる方向を容易に判断できると共に、建物の外に出た場合でも、慣性体が揺動する方向を確認しておけば、例えば、建物の周囲に存在する塀の倒れる方向も容易に判断することができるので、避難方向を間違えることなく避難することができる。
また、請求項１に記載の避難方向指示具は、慣性体と、一端が慣性体に連結されると共に他端が建物の所定部位に取り付けられた線状体とから構成されるため、避難方向指示具の構成が至極簡単となる。
【００２５】
また、請求項２記載の避難方向指示具に係る考案によれば、透明な中実球状体から慣性体を構成して、中実球状体内に表示体を埋設したので、透明な中実球状体の内部に埋設した表示体に表示された公告の内容や避難方向指示具の取扱説明の記載を容易に確認することができる。
【００２６】
さらに、請求項３に記載の避難方向指示具に係る考案によれば、透明な中実球状体内に複数の光輝性反射片を埋設したので、中実球状体が揺動した際に、光輝性反射片が周囲の光を反射して光輝効果を発揮するため、中実球状体の揺動方向をさらに明確に指示することができる。
【００２７】
さらに、請求項４に記載の避難方向指示具に係る考案によれば、透明な中空球状体内に形成した空間に、透明媒体と複数の光輝性反射片を内在させたので、中空球状体が揺動した際に、光輝性反射片が透明媒体内で泳動しながら周囲の光を反射して光輝効果を発揮するため、中空球状体の揺動方向をさらに明確に指示することができる。
【００２８】
さらに、請求項５に記載の避難方向指示具に係る考案によれば、透明な中空球状体内に形成した空間に、発光体、傾斜スイッチ及び電池を備えた発光器、または、ブザー、傾斜スイッチ及び電池を備えた可聴音発生器を不動に収容したので、中空球状体が揺動した際に、発光器が点滅動作することにより、聴覚障害者のような被災者に対して、安全に避難する方向を指示することができ、また、可聴音発生器がブザー音を間欠的に報知することにより、視覚障害者のような被災者に対して、安全に避難する方向を指示することができる。
【００２９】
さらに、請求項６に記載の避難方向指示具に係る考案によれば、慣性体を構成する籠状球状体の内部に鈴を転動自在に収容したので、籠状球状体が揺動した際に、籠状球状体が揺動する方向に鈴が転動して音を発生するため、特に、視覚障害者のような被災者に対して、安全に避難する方向を指示することができる。
【００３０】
さらに、請求項７に記載の避難方向指示具に係る考案によれば、慣性体を構成する籠状球状体の内部に、発光体、傾斜スイッチ及び電池を備えた発光器を転動自在に収容したので、籠状球状体が揺動した際に、籠状球状体が揺動する方向に発光器が転動すると、傾斜スイッチが作動して発光体が点灯して、光を発生するため、特に、聴覚障害者のような被災者に対して、安全に避難する方向を指示することができる。
【００３１】
さらに、請求項８に記載の避難方向指示具に係る考案によれば、慣性体を構成する籠状球状体の内部に、発光体、傾斜スイッチ及び電池を備えた発光器を固定して収容したので、籠状球状体が揺動した際に、発光器が点滅動作して、点滅光を発生するため、特に聴覚障害者のような被災者に対して、安全に避難する方向を指示することができる。
【００３２】
さらに、請求項９に記載の避難方向指示具に係る考案によれば、慣性体を構成する籠状球状体の内部に、ブザー、傾斜スイッチ及び電池を備えた可聴音発生器を転動自在に収容したので、籠状球状体が揺動した際に、籠状球状体が揺動する方向に可聴音発生器が転動すると、傾斜スイッチが作動してブザー音を発生するため、特に、視覚障害者のような被災者に対して、安全に避難する方向を指示することができる。
【００３３】
さらに、請求項１０に記載の避難方向指示具に係る考案によれば、慣性体を構成する籠状球状体の内部に、ブザー、傾斜スイッチ及び電池を備えた可聴音発生器を固定して収容したので、籠状球状体が揺動した際に、可聴音発生器がブザー音を間欠的に報知するため、特に、視覚障害者のような被災者に対して、安全に避難する方向を指示することができる。
【００３４】
さらに、請求項１１に記載の避難方向指示具に係る考案によれば、慣性体を構成する籠状球状体を、開閉自在な二つの半球状体から構成したので、籠状球状体の内部に収容する鈴、可聴音発生器または発光器の位置を調整したり、可聴音発生器または発光器の電池を交換する作業が容易となる。
【００３５】
さらに、請求項１２に記載の避難方向指示具に係る考案によれば、中実球状体、中空球状体または籠状球状体の外表面に、鈴またはベルを取り付けたので、鈴またはベルから発生する音が加えられ、報知効果をさらに向上させることができる。
【考案を実施するための最良の形態】
【００３６】
以下、本考案の実施の形態に係る避難方向指示具を図１〜図４に基づいて説明する。
本考案の実施の形態に係る避難方向指示具は、基本的に、図１に示すように、建物の天井２２の下面に吊下げて使用できるようにしたものであり、地震が発生すると、地震の振動を感知して、地震波の進行方向、すなわち、図１の矢印の方向に往復移動するように揺動するものである。
なお、本考案の実施の形態に係る避難方向指示具は、一般的な２階建て程度の建物に適用する場合が好適であるが、５階建て以下の建物であれば適用することができる。
以下、本考案の実施の形態に係る避難方向指示具を詳細に説明する。
【００３７】
まず、第１の形態に係る中実球状体（慣性体）１Ａを備えた避難方向指示具を説明する。
図２（Ａ）に示すように、第１の形態に係る中実球状体１Ａを備えた避難方向指示具は、中実球状体１Ａと、この中実球状体１Ａに連結された吊紐（線状体）２１と、から構成されている。
中実球状体１Ａは、適宜の弾性を備えた透明な合成樹脂材料を中実な球状に成形して形成したものであり、合成樹脂材料を球状に成形する際に、例えば、「安心」などの文字を表示した表示体５を一体に埋設して形成されると共に、吊紐２１を連結するための透孔４を有する吊持部３が一体に形成される。
【００３８】
具体的には、この第１の形態に係る中実球状体１Ａは、透明または半透明のブタジエンゴムなどの合成ゴムから中実な球状に成形されており、その直径は約３ｃｍ、また、重さは約３０〜５０ｇに形成されている。また、中実球状体１Ａの内部に埋設する表示体５は、紙製シートまたは合成樹脂製シートからほぼ円形状に形成されており、表示体５の表面に、各種公告、または、避難方向指示具の取扱説明が表示されている。
なお、第１の形態に係る中実球状体１Ａでは、中実球状体１Ａの内部に表示体５を埋設しているが、合成樹脂材料を中実な球状に成形する際に、後述する第２の形態に係る中空球状体１Ｂのように、複数の光輝性反射片６を、単独で、または、表示体５と一緒に合成樹脂材料内に一体に埋設して形成することができる（第１の形態の第１変形形態）。また、線状体としての吊紐２１は、合成繊維製または金属製の線状体から構成することができる。
【００３９】
次に、第１の形態に係る中実球状体（慣性体）１Ａを備えた避難方向指示具の使用法について説明する。
まず、中実球状体１Ａの吊持部３に形成した透孔４に吊紐２１の一端を連結する。次に、吊紐２１の他端を、例えば、建物（居住家屋）の天井２２の下面に装着した吊下げ具２０に取り付ける。この状態で、中実球状体１Ａは天井２２の下面から垂直に吊下げられた状態となり、本考案に係る避難方向指示具の設置作業が完了する。
なお、中実球状体１Ａに埋設した表示体５に避難方向指示具の取扱説明が表示されている避難方向指示具を設置する場合には、表示体５の取扱説明を見ながら、中実球状体１Ａの取付作業をすることができる。
【００４０】
その後、避難方向指示具の設置が完了した状態で地震が発生すると、建物の天井２２から垂設された中実球状体１Ａは、図１に示す矢印の方向、すなわち、地震波の進行方向に沿って揺動する。
一般に、地震波は震源地から放射状に進行するため、中実球状体１Ａが揺動する方向は、地震波の進行方向、すなわち、震源地の方向と一致する。また、例えば、居住する建物内に、直方体形状の家具などのような設置面が長方形に形成されている家具などを、その長手方向を地震波が進行する方向と交差する方向、特に、直交する方向に設置している場合には、地震波の程度にもよるが、家具などが地震波の進行方向に揺動して倒壊してしまうことがある。
【００４１】
本考案の第１の形態に係る中実球状体１Ａを備えた避難方向指示具では、地震動に伴なって中実球状体１Ａが揺動する方向が、地震波の進行方向（一般に、震源地の方向と一致する）を指示するので、中実球状体１Ａが揺動する方向と交差する方向、すなわち、図１の矢印に交差する方向が、被災者が安全に避難できる方向であることを指示することになる。この場合、特に、中実球状体１Ａが揺動する方向と直交する方向が避難する方向として最適である。
【００４２】
次に、図２（Ｂ）に基いて、第２の形態に係る中空球状体（慣性体）１Ｂを備えた避難方向指示具を説明する。
第２の形態に係る中空球状体１Ｂを備えた避難方向指示具は、中空球状体１Ｂと、この中空球状体１Ｂに連結された吊紐（線状体）２１と、から構成されている。
中空球状体１Ｂは、第１の形態に係る中実球状体１Ａと同様に、適宜の弾性を備えた透明な合成樹脂材料を中空な球状に成形して形成したものであり、中空球状体１Ｂの内部には、例えば、透明なゼリー状液体（透明媒体）７と複数の光輝性反射片６が封入されて形成されている。また、中空球状体１Ｂには、吊紐２１を連結するための透孔４を有する吊持部３が一体に形成されている。
【００４３】
具体的には、第１の形態に係る中実球状体１Ａと同様に、透明または半透明のブタジエンゴムなどの合成ゴムから中空な球状に成形されており、その直径は約３ｃｍ、また、重さは約３０〜５０ｇに形成されている。また、中空球状体１Ｂの内部に封入される光輝性反射片６は、例えば、アルミ箔を所定の大きさの長方形状に切断して形成されているが、光輝性反射片６の素材は、金属光沢性を備えた合成樹脂シートを所定の大きさの長方形状に切断したものでもよく、また、その形状は長方形だけでなく、三角形状、四角形状などの他の適宜形状に形成することができる。また、中空球状体１Ｂの内部に封入される透明媒体としては透明なゼリー状液体が最適であるが、水、アルコール類や油類を用いることもできる。
そして、第２の形態に係る中空球状体１Ｂを備えた避難方向指示具は、上述した第１の形態に係る中実球状体１Ａを備えた避難方向指示具と同様に、建物の天井２２の下面に設置した吊下げ具２０に、吊紐２１を介して垂設されて設置される。
【００４４】
この第２の形態に係る中空球状体１Ｂを備えた避難方向指示具では、中空球状体１Ｂの内部に透明なゼリー状液体７と複数の光輝性反射片６が封入されているため、地震が発生した際に、中空球状体１Ｂが揺動すると、中空球状体１Ｂの内部に封入した複数の光輝性反射片６が透明なゼリー状液体７内で泳動することにより、周囲の光を反射して、中空球状体１Ｂの揺動方向をより明確に指示することができる。
特に、第２の形態に係る中空球状体１Ｂを備えた避難方向指示具では、揺動する中空球状体１Ｂの内部に封入した複数の光輝性反射片６が透明なゼリー状液体７内で泳動することにより、光輝性反射片６から反射する光が刻々と変化するため、例えば、聴覚障害者であっても、中空球状体１Ｂの揺動する方向を正確に判断することができる。
【００４５】
以上の第２の形態では、中空球状体１Ｂの内部に透明なゼリー状液体７と複数の光輝性反射片６を封入した形態について説明したが、中空球状体１Ｂの空間内に、図４（Ａ）に示す発光器１１を不動に取り付けてもよい（第２の形態の第１変形形態）。この形態でも、直径は約３ｃｍ、重さは約３０〜５０ｇに形成されている。
ここで、発光器１１は、図４（Ａ）に示すように、筐体１３内に、発光ダイオード、豆電球などの発光体１４、水銀スイッチ、ボール式スイッチなどの傾斜スイッチ１５及び電池１６が電気的に接続されて収容されている。
発光器１１は、図４（Ａ）に示す状態では、傾斜スイッチ１５がオフ状態に設定されており、この状態から傾動すると、傾斜スイッチ１５である、例えば、水銀スイッチの水銀またはボール式スイッチのボールが移動して、図示しない端子に接触することにより、傾斜スイッチ１５がオン状態となり、発光ダイオードなどの発光体１４、傾斜スイッチ１５及び電池１６を接続する電気回路が導通して、発光ダイオードなどの発光体１４が点灯するように構成されている。
【００４６】
この第２の形態の第１変形形態では、中空球状体１Ｂの空間内に発光器１１が不動に収容されているため、中空球状体１Ｂが図１の実線で示す位置では、傾斜スイッチ１５は非導通の状態となり、発光体１４は発光しないが、中空球状体１Ｂが揺動して、図１の破線で示す位置に至る過程で傾斜スイッチ１５が導通して発光体１４が発光する。
このように、中空球状体１Ｂが振子運動する過程で、傾斜スイッチ１５は、オン−オフ動作を繰り返すため、発光体１４も点灯−消灯動作を繰り返して、周囲に点滅する光を放射するので、中空球状体１Ｂの揺動方向をさらに明確に指示することができる。
また、発光器１１を中空球状体１Ｂの空間内に不動に収容した避難方向指示具では、揺動する中空球状体１Ｂ内に収容した発光器１１が点滅して発光することにより、発光器１１の放射する点滅光が揺動方向（図１の矢印方向）に変化するため、聴覚障害者であっても、中空球状体１Ｂの揺動する方向を正確に判断することができる。
【００４７】
また、第２の形態の第１変形形態では、中空球状体１Ｂの空間内に発光器１１を不動に収容したが、中空球状体１Ｂの空間内に、図４（Ｂ）に示す可聴音発生器１２を不動に取り付けてもよい（第２の形態の第２変形形態）。この形態でも、直径は約３ｃｍ、重さは約３０〜５０ｇに形成されている。
ここで、図４（Ｂ）に示す可聴音発生器１２は、筐体１３内に、ブザー１７、水銀スイッチ、ボール式スイッチなどの傾斜スイッチ１５及び電池１６が電気的に接続されて収容されている。
この可聴音発生器１２は、図４（Ｂ）に示す状態では、傾斜スイッチ１５がオフ状態に設定されており、この状態から傾けられると、傾斜スイッチ１５である、例えば、水銀スイッチの水銀またはボール式スイッチのボールが移動して、図示しない端子に接触することにより、傾斜スイッチ１５がオン状態となり、ブザー１７、傾斜スイッチ１５及び電池１６を接続する電気回路が導通して、ブザー１７がブザー音を発生するように構成されている。
【００４８】
この第２の形態の第２変形形態では、中空球状体１Ｂの空間内に可聴音発生器１２が不動に収容されているため、中空球状体１Ｂが図１の実線で示す位置では、傾斜スイッチ１５は非導通の状態となり、ブザー１７はブザー音を発生しないが、中空球状体１Ｂが揺動して、図１の破線で示す位置に至る過程で傾斜スイッチ１５が導通するとブザー１７はブザー音を発生する。
このように、中空球状体１Ｂが振子運動する過程で、傾斜スイッチ１５は、オン−オフ動作を繰り返すため、ブザー１７も発音−消音動作を繰り返して、周囲に間欠的にブザー音を報知するので、中空球状体１Ｂの揺動方向をさらに明確に指示することができる。
そして、可聴音発生器１２を中空球状体１Ｂの空間内に不動に収容した避難方向指示具では、揺動する中空球状体１Ｂの空間内に固定した可聴音発生器１２が間欠的にブザー音を報知することにより、可聴音発生器１２の報知するブザー音が揺動方向（図１の矢印方向）に変化するため、視覚障害者であっても、中空球状体１Ｂの揺動する方向を正確に判断することができる。
【００４９】
最後に、第３の形態に係る籠状球状体（慣性体）１Ｃを備えた避難方向指示具を説明する。
図３に示すように、第３の形態に係る籠状球状体１Ｃを備えた避難方向指示具は、籠状球状体１Ｃと、この籠状球状体１Ｃ内に収容される鈴１０と、籠状球状体１Ｃに連結される吊紐（線状体）２１と、から構成されている。
籠状球状体１Ｃは、図３（Ａ）に示すように、針金のような適宜の金属線を溶着などして籠状に形成した２つの半球状体２、２を、蝶番部材８を介して開閉自在に結合して構成したものである。そして、図３（Ｂ）に示すように、鈴１０を収容して２つの半球状体２、２を閉じた状態では、各半球状体２、２の上端に一体に形成した吊持部３、３が重合されて、この重合された吊持部３、３に吊紐２１の一端が連結される。
なお、二つの半球状体２、２を結合して籠状球状体１Ｃを構成する場合、二つの半球状体２、２の上下にそれぞれネジ式連結部を設けて、ネジを介して二つの半球状体２、２を開閉自在に結合してもよい。
【００５０】
具体的には、第１の形態に係る中実球状体１Ａ及び第２の形態に係る中空球状体１Ｂと同様に、その直径は約３ｃｍ、また、鈴１０を加えた重さは約３０〜５０ｇに形成されている。また、籠状球状体１Ｃの内部に収容する鈴１０は、市販されている鈴１０を利用することができる。
そして、第３の形態に係る籠状球状体１Ｃを備えた避難方向指示具は、上述した第１の形態に係る中実球状体１Ａを備えた避難方向指示具及び第２の形態に係る中空球状体１Ｂを備えた避難方向指示具と同様に、建物の天井２２の下面に設置した吊下げ具２０に、吊紐２１を介して垂設されて設置される。
【００５１】
この第３の形態に係る籠状球状体１Ｃを備えた避難方向指示具では、籠状球状体１Ｃの内部に鈴１０が収容されているため、地震が発生した際に、籠状球状体１Ｃが揺動すると、籠状球状体１Ｃの内部に収容した鈴１０が鳴動することにより、鈴１０の音が周囲に放射されるので、籠状球状体１Ｃの揺動方向をより明確に報知することができる。
特に、第３の形態に係る籠状球状体１Ｃを備えた避難方向指示具では、揺動する籠状球状体１Ｃ内に収容した鈴１０が鳴動することにより、鈴１０の放射する音が揺動方向（図１の矢印方向）に変化するため、視覚障害者であっても、籠状球状体１Ｃの揺動する方向を正確に判断することができる。
なお、籠状球状体１Ｃの内面、すなわち、各半球状体２、２を構成する金属線に凹凸部を形成して、籠状球状体１Ｃの揺動に伴なって、籠状球状体１Ｃの内部に収容した鈴１０が転動する際に、籠状球状体１Ｃの内面に形成した凹凸部に鈴１０を接触させて、鈴１０の動きを制限して不規則に転動させてもよい。
【００５２】
また、第３の形態に係る籠状球状体１Ｃを備えた避難方向指示具では、鈴１０に代えて、図４に示すような発光器１１または可聴音発生器１２を使用することができる。これらの形態でも、直径は約３ｃｍ、重さは約３０〜５０ｇに形成されている。
まず、発光器１１を籠状球状体１Ｃに転動自在に収容した避難方向指示具の場合（第３の形態の第１変形形態）は、籠状球状体１Ｃの内部に発光器１１が転動自在に収容されているため、地震が発生した際に、籠状球状体１Ｃが揺動すると、籠状球状体１Ｃの内部に収容した発光器１１が転動して、傾斜スイッチ１５が導通して発光体１４が発光することにより、周囲に光を放射するので、籠状球状体１Ｃの揺動方向を明確に指示することができる。
そして、発光器１１を籠状球状体１Ｃに転動自在に収容した避難方向指示具では、揺動する籠状球状体１Ｃ内に収容した発光器１１が発光することにより、発光器１１の放射する光が揺動方向（図１の矢印方向）に変化するため、聴覚障害者であっても、籠状球状体１Ｃの揺動する方向を正確に判断することができる。
なお、籠状球状体１Ｃの内面、すなわち、各半球状体２、２を構成する金属線に凹凸部を形成して、籠状球状体１Ｃの揺動に伴なって、籠状球状体１Ｃの内部に収容した発光器１１が転動する際に、籠状球状体１Ｃの内面に形成した凹凸部に発光器１１を接触させて、発光器１１の動きを制限して不規則に転動させてもよい。
【００５３】
以上の第３の形態の第１変形形態では、籠状球状体１Ｃの内部に発光器１１を転動自在に収容する形態について説明したが、籠状球状体１Ｃの内面底部に発光器１１を固定して取り付けてもよい（第３の形態の第２変形形態）。
この形態では、籠状球状体１Ｃの内部底面に発光器１１が固定されているため、籠状球状体１Ｃが図１の実線で示す位置では、傾斜スイッチ１５は非導通の状態となり、発光体１４は発光しないが、籠状球状体１Ｃが揺動して、図１の破線で示す位置に至る過程で傾斜スイッチ１５が導通して発光体１４が発光する。
このように、籠状球状体１Ｃが振子運動する過程で、傾斜スイッチ１５は、オン−オフ動作を繰り返すため、発光体１４も点灯−消灯動作を繰り返して、周囲に点滅する光を放射するので、籠状球状体１Ｃの揺動方向をさらに明確に指示することができる。
そして、発光器１１を籠状球状体１Ｃに固定した避難方向指示具では、揺動する籠状球状体１Ｃ内に収容した発光器１１が点滅して発光することにより、発光器１１の放射する点滅光が揺動方向（図１の矢印方向）に変化するため、聴覚障害者であっても、籠状球状体１Ｃの揺動する方向を正確に判断することができる。
【００５４】
また、可聴音発生器１２を籠状球状体１Ｃに転動自在に収容した避難方向指示具の場合（第３の形態の第３変形形態）では、籠状球状体１Ｃの内部に可聴音発生器１２が転動自在に収容されているため、地震が発生した際に、籠状球状体１Ｃが揺動すると、籠状球状体１Ｃの内部に収容した可聴音発生器１２が転動して、傾斜スイッチ１５が導通してブザー１７がブザー音を発生することにより、周囲にブザー音を放射するので、籠状球状体１Ｃの揺動方向を明確に報知することができる。
そして、第３の形態の第３変形形態では、揺動する籠状球状体１Ｃ内に転動自在に収容した可聴音発生器１２がブザー音を発生することにより、可聴音発生器１２の放射するブザー音が揺動方向（図１の矢印方向）に変化するため、視覚障害者であっても、籠状球状体１Ｃの揺動する方向を正確に判断することができる。
なお、籠状球状体１Ｃの内面、すなわち、各半球状体２、２を構成する金属線に凹凸部を形成して、籠状球状体１Ｃの揺動に伴なって、籠状球状体１Ｃの内部に収容した可聴音発生器１２が転動する際に、籠状球状体１Ｃの内面に形成した凹凸部に可聴音発生器１２を接触させて、可聴音発生器１２の動きを制限して不規則に転動させてもよい。
【００５５】
以上の第３の形態の第３変形形態では、籠状球状体１Ｃの内部に可聴音発生器１２を転動自在に収容する形態について説明したが、籠状球状体１Ｃの内面底部に可聴音発生器１２を固定して取り付けてもよい（第３の形態の第４変形形態）。
この第３の形態の第４変形形態では、籠状球状体１Ｃの内部底面に可聴音発生器１２が固定されているため、籠状球状体１Ｃが図１の実線で示す位置では、傾斜スイッチ１５は非導通の状態となり、ブザー１７はブザー音を発生しないが、籠状球状体１Ｃが揺動して、図１の破線で示す位置に至る過程で傾斜スイッチ１５が導通するとブザー１７はブザー音を発生する。
このように、籠状球状体１Ｃが振子運動する過程で、傾斜スイッチ１５は、オン−オフ動作を繰り返すため、ブザー１７も発音−消音動作を繰り返して、周囲に間欠的にブザー音を報知するので、籠状球状体１Ｃの揺動方向をさらに明確に指示することができる。
また、可聴音発生器１２を籠状球状体１Ｃに固定した避難方向指示具では、揺動する籠状球状体１Ｃ内に固定した可聴音発生器１２が間欠的にブザー音を報知することにより、可聴音発生器１２の報知するブザー音が揺動方向（図１の矢印方向）に変化するため、視覚障害者であっても、籠状球状体１Ｃの揺動する方向を正確に判断することができる。
【図面の簡単な説明】
【００５６】
【図１】本考案の第１の形態に係る中実球状体を備えた避難方向指示具の使用形態を示す図である。
【図２】本考案の実施の形態に係る避難方向指示具に使用する慣性体を示す図であり、第１の形態に係る中実球状体（Ａ）と第２の形態に係る中空球状体（Ｂ）を示す図である。
【図３】本考案の実施の形態に係る避難方向指示具に使用する第３の形態に係る籠状球状体を示す図であり、鈴を収容する前の状態（Ａ）と鈴を収容した後の状態（Ｂ）を示す図である。
【図４】第２の形態に係る中空球状体または第３の形態に係る籠状球状体に適用する発光器（Ａ）と可聴音発生器（Ｂ）を示す図である。
【符号の説明】
【００５７】
１Ａ  中実球状体（慣性体）
１Ｂ  中空球状体（慣性体）
１Ｃ  籠状球状体（慣性体）
２  半球状体
３  吊持部
４  透孔
５  表示体
６  光輝性反射片
７  透明なゼリー状液体（透明媒体）
８  蝶番部材
１０  鈴
１１  発光器
１２  可聴音発生器
１３  筐体
１４  発光体
１５  傾斜スイッチ
１６  電池
１７  ブザー
２０  吊下げ具
２１  吊紐（線状体）
２２  天井
【図１】
0003114156.tif 000003
【図２】
0003114156.tif 000004
【図３】
0003114156.tif 000005
【図４】
0003114156.tif 000006